(57)【特許請求の範囲】
【請求項１】
液晶パネル収納部内に配置され、テレビジョン画像を表示するための液晶パネルと、前記液晶パネル収納部内の前記液晶パネルの背面側に配置され、前記液晶パネルが位置する前方に向かって光を照射するための管状のバックライトとを含む液晶テレビジョンを支持するための台座部を備えた液晶テレビジョン用台座において、
前記液晶パネル収納部の前記管状のバックライトの後方側に位置する部分に開口部が設けられており、前記液晶パネル収納部の前記開口部を介して露出された前記管状のバックライトの後方部に対向するように配置された凹状の曲面形状の光収集部を有するとともに、前記管状のバックライトから照射される光のうち、前記液晶パネル側とは反対方向の後方に照射される光を収集して前記台座部側に導くプリズムレンズと、
前記プリズムレンズの前記台座部側に配置され、前記プリズムレンズにより前記台座部側に導かれた光を平行化するためのコリメータレンズと、
前記台座部内に配置され、前記コリメータレンズにより平行化された光を前記台座部の正面側に反射するための反射板と、
前記台座部の正面に配置され、前記反射板により反射された光が照射されることにより表示が行われる表示部とを備えた、液晶テレビジョン用台座。
【請求項２】
液晶パネル収納部内に配置され、テレビジョン画像を表示するための液晶パネルと、前記液晶パネル収納部内の前記液晶パネルの背面側に配置され、前記液晶パネルが位置する前方に向かって光を照射するための管状のバックライトとを含む液晶テレビジョンを支持するための台座部を備えた液晶テレビジョン用台座において、
前記液晶パネル収納部の前記管状のバックライトの後方側に位置する部分に開口部が設けられており、
前記管状のバックライトの後方側から前記台座部の正面に対応する前記台座部内の位置に一体的に延びるように形成され、前記液晶パネル収納部の前記開口部を介して露出された前記管状のバックライトの後方部に対向するように配置された凹状の曲面形状の光収集部を有するとともに、前記管状のバックライトから照射される光のうち、前記液晶パネル側とは反対方向の後方に照射される光を収集して前記台座部の正面に導くためのプリズムレンズと、
前記台座部の正面に配置され、前記プリズムレンズにより導かれた光が照射されることにより表示が行われる表示部とを備えた、液晶テレビジョン用台座。
【請求項３】
テレビジョン画像を表示する液晶パネルと、前記液晶パネルの背面側に配置され、前記液晶パネルが位置する前方に向かって光を照射するためのバックライトとを含む液晶テレビジョンを支持するための台座部と、
前記バックライトの後方側に配置された光収集部を有するとともに、前記バックライトから照射される光のうち、前記液晶パネル側とは反対方向に照射される光を収集して前記台座部側に導くプリズムレンズとを備え、
前記バックライトは、管状であり、前記プリズムレンズの光収集部は、前記管状のバックライトの後方部に対向するように配置された凹状の曲面形状の光収集部を含む、液晶テレビジョン用台座。
【請求項４】
前記プリズムレンズの前記台座部側に配置され、前記プリズムレンズにより前記台座部側に導かれた光を平行化するためのコリメータレンズと、
前記台座部内に配置され、前記コリメータレンズにより平行化された光を前記台座部の正面側に反射するための反射板と、
前記反射板により反射された光が照射されることにより表示が行われる表示部とをさらに備える、請求項３に記載の液晶テレビジョン用台座。
【請求項５】
前記プリズムレンズは、前記バックライトの後方側から前記台座部の正面に対応する前記台座部内の位置に一体的に延びるように形成されており、
前記台座部の正面に配置され、前記プリズムレンズにより導かれた光が照射されることにより表示が行われる表示部をさらに備える、請求項３に記載の液晶テレビジョン用台座。
【発明の詳細な説明】
【０００１】
【発明の属する技術分野】
この発明は、液晶テレビジョン用台座に関し、特に、バックライトを有する液晶テレビジョンに用いる液晶テレビジョン用台座に関する。
【０００２】
【従来の技術】
従来、バックライトを有する液晶テレビジョンが知られている。また、上記したバックライトを有する液晶テレビジョンにおいて、バックライトを他の用途に使用する技術も提案されている（たとえば、特許文献１参照）。
【０００３】
上記特許文献１には、支持柱に取り付けられたバックライト（薄型発光装置）に液晶表示パネルを脱着可能に取り付けることによって、テレビジョン観賞時には、バックライトに液晶表示パネルを装着して液晶テレビジョン用のバックライトとして使用するとともに、テレビジョン観賞をしないときには、バックライトから液晶表示パネルを取り外して照明装置として使用することが可能な液晶テレビジョンが開示されている。
【０００４】
しかしながら、上記特許文献１に開示された従来の液晶テレビジョンでは、バックライトを照明装置として使用する場合には、液晶表示パネルを取り外す必要があるため、液晶テレビジョンとしては使用できないという不都合がある。このため、液晶テレビジョンを観賞しながら、バックライトを照明装置として同時に使用するのは困難であるという問題点がある。
【０００５】
また、従来では、バックライトを用いる液晶テレビジョンではなく、ＣＲＴを用いるテレビジョンにおいて、ＣＲＴの光を他の用途に使用する技術も提案されている（たとえば、特許文献２参照）。
【０００６】
上記特許文献２には、テレビジョンのＣＲＴの前面下部から発せられる光を集光して表示板に照光する構造が開示されている。この特許文献２に開示された技術では、テレビジョンを観賞しながら、ＣＲＴの光を用いて表示板による表示を同時に行うことが可能である。
【０００７】
【特許文献１】
特開平２−９６７９４号公報
【特許文献２】
実開昭６３−９４４８１号公報
【０００８】
【発明が解決しようとする課題】
しかしながら、上記特許文献２に開示された技術では、ＣＲＴ内の光がＣＲＴの前面下部から外に漏れるので、その分、ＣＲＴの前面に表示されるテレビジョン画像の画質が低下すると考えられる。したがって、従来では、画質を低下させることなく、テレビジョンを観賞しながら、テレビジョンの光源を他の用途に使用するのは困難であった。
【０００９】
また、上記特許文献２では、ＣＲＴからの光を表示板に導くために、２つの反射板と１つの集光レンズとが必要であるため、部品点数が多くなるという問題点もある。
【００１０】
この発明は、上記のような課題を解決するためになされたものであり、この発明の１つの目的は、テレビジョンの画質を低下させることなく、テレビジョンを観賞しながら、テレビジョンの光源を他の用途に使用することが可能な液晶テレビジョン用台座を提供することである。
【００１１】
この発明のもう１つの目的は、上記の液晶テレビジョン用台座において、部品点数を増加させることなく、光源であるバックライトの光を台座部側に導くことである。
【００１２】
【課題を解決するための手段および発明の効果】
この発明の第１の局面による液晶テレビジョン用台座は、液晶パネル収納部内に配置され、テレビジョン画像を表示するための液晶パネルと、液晶パネル収納部内の液晶パネルの背面側に配置され、液晶パネルが位置する前方に向かって光を照射するための管状のバックライトとを含む液晶テレビジョンを支持するための台座部を備えた液晶テレビジョン用台座において、液晶パネル収納部の管状のバックライトの後方側に位置する部分に開口部が設けられており、液晶パネル収納部の開口部を介して露出された管状のバックライトの後方部に対向するように配置された凹状の曲面形状の光収集部を有するとともに、管状のバックライトから照射される光のうち、液晶パネル側とは反対方向の後方に照射される光を収集して台座部側に導くプリズムレンズと、プリズムレンズの台座部側に配置され、プリズムレンズにより台座部側に導かれた光を平行化するためのコリメータレンズと、台座部内に配置され、コリメータレンズにより平行化された光を台座部の正面側に反射するための反射板と、台座部の正面に配置され、反射板により反射された光が照射されることにより表示が行われる表示部とを備えている。
【００１３】
この第１の局面による液晶テレビジョン用台座では、上記のように、液晶パネル収納部の開口部を介して露出された管状のバックライトから照射される光のうち、液晶パネル側とは反対方向の後方に照射される光を収集して台座部側に導くプリズムレンズを設けることによって、液晶パネルの表示に寄与しないバックライトの後方に照射される光をプリズムレンズにより台座部側に導くことができる。これにより、この台座部側に導かれた液晶パネルの表示に寄与しない光を用いて台座部の正面に設けられた表示部により表示を行うことによって、液晶テレビジョンの画質を低下させることなく、液晶テレビジョンを観賞しながら、管状のバックライトから照射される光を使用して台座部の表示部で表示を行うことができる。また、プリズムレンズを、管状のバックライトの後方側に配置された凹状の曲面形状の光収集部を有するように形成することによって、容易に、液晶パネルの表示に寄与しないバックライトの後方に照射される光をプリズムレンズに導くことができる。
【００１４】
また、第１の局面による液晶テレビジョン用台座では、上記のように、プリズムレンズの台座部側に配置され、プリズムレンズにより台座部側に導かれた光を平行化するためのコリメータレンズと、台座部内に配置され、コリメータレンズにより平行化された光を台座部の正面側に反射するための反射板とを設けることによって、プリズムレンズにより台座部側に導かれた光を平行化した状態で、表示部に照射することができるので、台座部の表示部に照射される光が分散するのを抑制することができる。これにより、台座部の表示部における表示品質を向上させることができる。
【００１５】
この発明の第２の局面による液晶テレビジョン用台座は、液晶パネル収納部内に配置され、テレビジョン画像を表示するための液晶パネルと、液晶パネル収納部内の液晶パネルの背面側に配置され、液晶パネルが位置する前方に向かって光を照射するための管状のバックライトとを含む液晶テレビジョンを支持するための台座部を備えた液晶テレビジョン用台座において、液晶パネル収納部の管状のバックライトの後方側に位置する部分に開口部が設けられており、液晶パネル収納部の開口部を介して露出された管状のバックライトの後方側から台座部の正面に対応する台座部内の位置に一体的に延びるように形成され、液晶パネル収納部の開口部を介して露出された管状のバックライトの後方部に対向するように配置された凹状の曲面形状の光収集部を有するとともに、管状のバックライトから照射される光のうち、液晶パネル側とは反対方向の後方に照射される光を収集して台座部の正面に導くためのプリズムレンズと、台座部の正面に配置され、プリズムレンズにより導かれた光が照射されることにより表示が行われる表示部とを備えている。
【００１６】
この発明の第２の局面による液晶テレビジョン用台座では、上記のように、液晶パネル収納部の開口部を介して露出された管状のバックライトから照射される光のうち、液晶パネル側とは反対方向の後方に照射される光を収集して台座部側に導くプリズムレンズを設けることによって、液晶パネルの表示に寄与しないバックライトの後方に照射される光をプリズムレンズにより台座部側に導くことができる。これにより、この台座部側に導かれた液晶パネルの表示に寄与しない光を用いて台座部の正面に設けられた表示部により表示を行うことによって、液晶テレビジョンの画質を低下させることなく、液晶テレビジョンを観賞しながら、管状のバックライトから照射される光を使用して台座部の表示部で表示を行うことができる。また、プリズムレンズを、管状のバックライトの後方部に対向するように配置された凹状の曲面形状の光収集部を有するように形成することによって、容易に、液晶パネルの表示に寄与しないバックライトの後方に照射される光をプリズムレンズに導くことができる。さらに、プリズムレンズを、管状のバックライトの後方側から台座部の正面に対応する台座部内の位置に一体的に延びるように形成することによって、反射板などを用いることなく、台座部の正面に位置する表示部に直接光を照射することができる。これにより、反射板などを用いる場合に比べて、部品点数を増加させることなく、バックライトの光を台座部側に導くことができる。
【００１７】
この発明の第３の局面における液晶テレビジョン用台座は、テレビジョン画像を表示する液晶パネルと、液晶パネルの背面に配置され、液晶パネルが位置する前方に向かって光を照射するためのバックライトとを含む液晶テレビジョンを支持するための台座部と、バックライトの後方側に配置された光収集部を有するとともに、バックライトから照射される光のうち、液晶パネル側とは反対方向に照射される光を収集して台座部側に導くプリズムレンズとを備えている。
【００１８】
この発明の第３の局面による液晶テレビジョン用台座では、上記のように、液晶パネル側とは反対方向に照射される光を収集して台座部側に導くプリズムレンズを設けることによって、液晶パネルの表示に寄与しない部分のバックライトから照射される光をプリズムレンズにより台座部側に導くことができる。これにより、この台座部側に導かれた液晶パネルの表示に寄与しない光を用いて、たとえば、台座部に設けられた表示部により表示を行うことによって、液晶テレビジョンの画質を低下させることなく、液晶テレビジョンを観賞しながら、管状のバックライトから照射される光を使用して台座部の表示部で表示を行うことができる。
【００１９】
上記第３の局面による液晶テレビジョン用台座において、バックライトは、管状であり、プリズムレンズの光収集部は、管状のバックライトの後方部に対向するように配置された凹状の曲面形状の光収集部を含む。このように構成すれば、容易に、液晶パネルの表示に寄与しないバックライトの後方に照射される光をプリズムレンズに導くことができる。
【００２０】
上記第３の局面による液晶テレビジョン用台座において、好ましくは、プリズムレンズの台座部側に配置され、プリズムレンズにより台座部側に導かれた光を平行化するためのコリメータメンズと、台座部内に配置され、コリメータレンズにより平行化された光を台座部の正面側に反射するための反射板と、反射板により反射された光が照射されることにより表示が行われる表示部とをさらに備える。このように構成すれば、平行化された光が表示部に照射されるので、台座部の表示部における表示品質を向上させることができる。
【００２１】
上記第３の局面による液晶テレビジョン用台座において、好ましくは、プリズムレンズは、バックライトの後方側から台座部の正面に対応する台座部内の位置に一体的に延びるように形成されており、台座部の正面に配置され、プリズムレンズにより導かれた光が照射されることにより表示が行われる表示部をさらに備える。このように構成すれば、部品点数を増加させることなく、バックライトの光を台座部側に導くことができる。
【００２２】
【発明の実施の形態】
以下、本発明の実施の形態を図面に基づいて説明する。
【００２３】
（第１実施形態）
図１は、本発明の第１実施形態による液晶テレビジョン用台座を含む液晶テレビジョンの正面図である。図２は、図１に示した第１実施形態による液晶テレビジョンの側断面図であり、図３は、図２の部分拡大図である。図４は、第１実施形態による液晶テレビジョン用台座に含まれるプリズムレンズの斜視図である。図１〜図４を参照して、本発明の第１実施形態による液晶テレビジョン用台座を含む液晶テレビジョンの構造について説明する。
【００２４】
第１実施形態による液晶テレビジョン用台座を含む液晶テレビジョンは、図１および図２に示すように、液晶テレビジョン部１０と、ガラス製の台座部１とを備えている。液晶テレビジョン部１０は、液晶パネル１１と、金属製の液晶パネル収納部１２と、管状のバックライト１３ａ、１３ｂおよび１３ｃとを含んでいる。液晶パネル１１は、液晶パネル収納部１２内に配置されている。また、管状のバックライト１３ａ〜１３ｃは、液晶パネル収納部１２内の液晶パネル１１の背面側に所定の間隔を隔てて配置されている。
【００２５】
ここで、第１実施形態では、図３に示すように、台座部１に最も近い管状のバックライト１３ａの後方に位置する液晶パネル収納部１２の領域に、開口部１２ａが設けられている。この開口部１２ａにより管状のバックライト１３ａの後方側の一部が露出されている。
【００２６】
また、第１実施形態では、台座部１は、表示部２と、支持部３と、プリズムレンズ４と、コリメータレンズ５と、反射板６とを含んでいる。表示部２は、台座部１の前面に配置されるとともに、光の照射により絵が浮かび上がる飾り絵シートがその外面に貼付されている。また、支持部３は、液晶テレビジョン部１０を支持するために設けられている。プリズムレンズ４は、図３に示すように、管状のバックライト１３ａの露出された後方部分に対向するように配置された凹状の曲面形状の光収集部４ａを含んでいる。また、図４に示すように、プリズムレンズ４の光収集部４ａおよび下面に位置する光導出部４ｂ以外の全ての面（部分）は、反射コーティング層により覆われている。コリメータレンズ５は、プリズムレンズ４の光導出部４ｂに対向するように所定の間隔を隔てて配置されているとともに、光導出部４ｂから出射される光を平行化する機能を有する。反射板６は、コリメータレンズ５により平行化された光を表示部２に向かって反射するために設けられている。
【００２７】
次に、第１実施形態による液晶テレビジョン用台座の光導出経路について説明する。まず、台座部１に最も近い管状のバックライト１３ａの後方に照射される光は、プリズムレンズ４の凹状の曲面形状の光収集部４ａで収集されることにより台座部１側の光導出部４ｂに導かれる。プリズムレンズ４の光導出部４ｂから出射された光は、コリメータレンズ５によって平行化される。そして、その平行化された光が反射板６により反射されることによって、表示部２に照射される。これにより、表示部２では、飾り絵が浮かび上がることにより表示が行われる。
【００２８】
第１実施形態では、上記のように、バックライト１３ａから照射される光のうち、液晶パネル１１側とは反対方向の後方に照射される光を収集して台座部１側に導くプリズムレンズ４を設けることによって、液晶パネル１１の表示に寄与しないバックライト１３の後方に照射される光をプリズムレンズ４により台座部１側に導くことができる。これにより、この台座部１側に導かれた液晶パネル１１の表示に寄与しない光を用いて台座部１の正面に設けられた表示部２により表示を行うことができるので、液晶テレビジョンの画質を低下させることなく、管状のバックライト１３ａから照射される光を使用して台座部１の表示部２で表示を行うことができる。また、液晶パネル１１の表示を行いながら、台座部１の表示部２での表示を行うことができるので、液晶テレビジョンを観賞しながら、表示部２での表示を行うことができる。
【００２９】
また、第１実施形態では、プリズムレンズ４を、管状のバックライト１３ａの後方側に対向するように配置された凹状の曲面形状の光収集部４ａを有するように形成することによって、容易に、液晶パネル１１の表示に寄与しないバックライト１３ａの後方に照射される光をプリズムレンズ４に導くことができる。
【００３０】
また、第１実施形態では、上記のように、プリズムレンズ４により台座部１側に導かれた光を平行化するためのコリメータレンズ５と、コリメータレンズ５により平行化された光を台座部１の正面側に反射するための反射板６とを設けることによって、プリズムレンズ４により台座部１側に導かれた光を平行化した状態で、表示部２に照射することができるので、台座部１の表示部２に照射される光が分散するのを抑制することができる。これにより、台座部１の表示部２における表示品質を向上させることができる。
【００３１】
（第２実施形態）
図５は、本発明の第２実施形態による液晶テレビジョン用台座を含む液晶テレビジョンの側断面図であり、図６は、図５の部分拡大図である。図７は、第２実施形態による液晶テレビジョン用台座に含まれるプリズムレンズの斜視図である。図５〜図７を参照して、この第２実施形態では、上記第１実施形態と異なり、コリメータレンズおよび反射板を用いることなく、プリズムレンズのみによりバックライトの光を表示部に導く例について説明する。
【００３２】
すなわち、この第２実施形態による液晶テレビジョン用台座では、図５および図６に示すように、プリズムレンズ２４は、管状のバックライト１３ａの後方側から台座部１の正面に対応する台座部１内の位置に一体的に延びるように形成されている。また、プリズムレンズ２４は、図６および図７に示すように、バックライト１３ａの後方部分に対向するように配置された凹状の曲面形状の光収集部２４ａを含んでいる。また、プリズムレンズ２４の光収集部２４ａおよび前面下部に位置する光導出部２４ｃ以外の全ての部分は、反射コーティング層で覆われている。また、反射コーティング層によって覆われた下面２４ｂは、光を前方に反射可能なように、所定の角度傾斜した形状を有する。
【００３３】
なお、第２実施形態による液晶テレビジョン用台座の光導出経路としては、まず、台座部１に最も近い管状のバックライト１３ａの後方に照射される光は、プリズムレンズ２４の凹状の曲面形状の光収集部２４ａによって収集された後、プリズム２４の台座部１側の部分に導かれる。そして、台座部１側に導かれた光は、プリズム２４の下面２４ｂにより反射された後、光導出部２４ｃから出射される。光導出部２４ｃから出射された光は、表示部２に照射される。
【００３４】
第２実施形態では、上記のように、プリズムレンズ２４を、管状のバックライト１３ａの後方側から台座部１の正面に対応する台座部１内の位置に一体的に延びるように形成することによって、反射板６などを用いることなく、台座部１の正面に位置する表示部２に直接光を照射することができる。これにより、上記第１実施形態に比べて、部品点数を削減することができる。
【００３５】
なお、第２実施形態のその他の効果は、上記第１実施形態と同様である。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記第１および第２実施形態では、管状のバックライトの後方側の光をプリズムレンズを用いて集光する場合について説明したが、本発明はこれに限らず、管状以外の形状を有するバックライトから集光を行ってもよい。この場合も、上記第１および第２実施形態と同様、液晶パネルの表示に寄与しないバックライトの後方側の光をプリズムレンズにより集光することにより、液晶テレビジョンの画質を低下させることなく、バックライトから照射される光を使用して表示部による表示を行うことができる。
【００３８】
また、上記第１および第２実施形態では、台座部に設けられた表示部に光を照射することにより表示を行う例を示したが、本発明はこれに限らず、表示部を設けずに、台座部全体に光を照射してライトアップするようにしてもよい。
【図面の簡単な説明】
【図１】  本発明の第１実施形態による液晶テレビジョン用台座を含む液晶テレビジョンの正面図である。
【図２】  図１に示した第１実施形態による液晶テレビジョンの側断面図である。
【図３】  図２に示した第１実施形態による液晶テレビジョンの部分拡大図である。
【図４】  第１実施形態による液晶テレビジョン用台座に含まれるプリズムレンズの斜視図である。
【図５】  本発明の第２実施形態による液晶テレビジョン用台座を含む液晶テレビジョンの側断面図である。
【図６】  図５に示した第２実施形態による液晶テレビジョンの部分拡大図である。
【図７】  第２実施形態による液晶テレビジョン用台座に含まれるプリズムレンズの斜視図である。
【符号の説明】
１  台座部
２  表示部
４  プリズムレンズ
４ａ  光収集部
４ｂ  光導出部
５  コリメータレンズ
６  反射板
１１  液晶パネル
１２  液晶パネル収納部
１３ａ  バックライト
２４  プリズムレンズ
２４ａ  光収集部
２４ｃ  光導出部
【図１】
0003704711.tif 000002
【図２】
0003704711.tif 000003
【図３】
0003704711.tif 000004
【図４】
0003704711.tif 000005
【図５】
0003704711.tif 000006
【図６】
0003704711.tif 000007
【図７】
0003704711.tif 000008